(57)【要約】【課題】  基板に対してストロボ昇圧トランスの実装が容易であるとともに、実装基板の面積の縮小と薄型化を図ることができるストロボ昇圧ユニットを提供することにある。【解決手段】  プリント基板１１に少なくとも昇圧トランス１２、昇圧コントロールＩＣ１８を実装したストロボ昇圧ユニットにおいて、昇圧トランス１２を、コイルを巻装した中央の軸部１３ａと両側の腕部１３ｂとからなるＨ型コア１３と、軸部１３ａと平行して設けられ腕部１３ｂ間に架け渡されるＩ型コア１４とから構成し、プリント基板１１に、前記Ｈ型コア１３の軸部１３ａに巻装して得られたコイル層１５の一部と嵌合する逃げ孔１６を設け、Ｈ型コア１３のコイル層１５の一部を逃げ孔１６に嵌合した状態で、昇圧トランス１２を前記プリント基板１１に実装したことを特徴とする。【選択図】図２
2007019326.tif 000002
【特許請求の範囲】
【請求項１】
プリント基板に少なくとも昇圧トランス、昇圧コントロールＩＣを実装したストロボ昇圧ユニットにおいて、
前記昇圧トランスを、コイルが巻装される中央の軸部と両側の腕部とからなるＨ型コアと、前記軸部と平行して設けられ前記腕部間に架け渡されるＩ型コアとから構成し、
前記プリント基板に、前記Ｈ型コアの軸部に巻装して得られたコイル層の一部と嵌合する逃げ孔を設け、
前記Ｈ型コアのコイル層の一部を前記逃げ孔に嵌合した状態で、前記昇圧トランスを前記プリント基板に実装したことを特徴とするストロボ昇圧ユニット。
【請求項２】
前記昇圧トランスを構成するＨ型コアの軸部は、前記昇圧トランスの前記プリント基板に対する実装面方向に偏倚して設けられ、前記Ｈ型コアの軸部に巻装された前記コイル層の上面は前記Ｉ型コアの上面と略同一であることを特徴とする請求項１記載のストロボ昇圧ユニット。
【発明の詳細な説明】
【技術分野】
【０００１】
この発明は、例えば、デジタルカメラ等の携帯用電子機器に内蔵されるストロボ昇圧ユニットに関する。
【背景技術】
【０００２】
デジタルカメラにおけるストロボユニットは、発光部としてキセノンランプが使用され、キセノンランプを発光させるためのストロボ昇圧ユニットとしてプリント基板に昇圧トランス、昇圧コントロールＩＣ、ローパスフィルター等の回路部品が実装されている。
【０００３】
デジタルカメラは、小型・軽量化が要求され、カメラ本体に組み込まれるストロボ昇圧ユニットも面積の縮小化及び高さの薄型化が要求されている。プリント基板に実装される回路部品の中で昇圧トランスが面積的にも厚さ的にも大きく、ストロボ昇圧ユニットの小型化が困難となっている。昇圧トランスの小型化は可能であるが、キセノンランプを発光させる性能に影響を及ぼし、小型化に限度がある。
【０００４】
そこで、プリント基板に切り込みと開口を形成し、トランスを構成するＥ型磁心の３つの脚部をプリント基板の裏面側から表面側に向って切り込みと開口に嵌合する。そして、プリント基板の表面側に突出したＥ型磁心の３つの脚部上に、Ｉ型磁心を当接してＥ型磁心とＩ型磁心とを組合わせる。さらに、ヘアピン形状の留め金具によってＥ型磁心とＩ型磁心とを固定して実装基板の面積を小さくするとともに、実装基板全体の小型化を図ったものが知られている（例えば、特許文献１参照。）。
【特許文献１】特開平１１−４０４２５号公報
【発明の開示】
【発明が解決しようとする課題】
【０００５】
前述した特許文献１は、Ｅ型磁心とＩ型磁心とでプリント基板を上下方向から組合わせ、留め金具によって挟持する構造であるので実装基板の面積を小さくすることができるが、Ｅ型磁心とＩ型磁心とがプリント基板の上下方向に突出する構造である。しかもＥ型磁心の脚部をプリント基板の裏面側から表面側に向って切り込みと開口に嵌合し、プリント基板の表面側に突出したＥ型磁心の３つの脚部上に、Ｉ型磁心を当接してＥ型磁心とＩ型磁心とを組合わせる構造であり、組立作業性が悪いという事情がある。
【０００６】
この発明は、前記事情に着目してなされたもので、その目的とするところは、基板に対してストロボ昇圧トランスの実装が容易であるとともに、実装基板の面積の縮小と薄型化を図ることができるストロボ昇圧ユニットを提供することにある。
【課題を解決するための手段】
【０００７】
この発明は、前記目的を解決するために、請求項１は、プリント基板に少なくとも昇圧トランス、昇圧コントロールＩＣを実装したストロボ昇圧ユニットにおいて、前記昇圧トランスを、コイルが巻装される中央の軸部と両側の腕部とからなるＨ型コアと、前記軸部と平行して設けられ前記腕部間に架け渡されるＩ型コアとから構成し、前記プリント基板に、前記Ｈ型コアの軸部に巻装して得られたコイル層の一部と嵌合する逃げ孔を設け、前記Ｈ型コアのコイル層の一部を前記逃げ孔に嵌合した状態で、前記昇圧トランスを前記プリント基板に実装したことを特徴とする。
【０００８】
請求項２は、請求項１の前記昇圧トランスを構成するＨ型コアの軸部は、前記昇圧トランスの前記プリント基板に対する実装面方向に偏倚して設けられ、前記Ｈ型コアの軸部に巻装された前記コイル層の上面は前記Ｉ型コアの上面と略同一であることを特徴とする。
【発明の効果】
【０００９】
この発明によれば、プリント基板に対してストロボ昇圧トランスの実装が容易であるとともに、実装基板の面積の縮小とストロボ昇圧ユニットの薄型化を図ることができるという効果がある。
【発明を実施するための最良の形態】
【００１０】
以下、この発明の実施の形態を図面に基づいて説明する。
【００１１】
図１〜図３はストロボ昇圧ユニットの第１の実施形態を示す。図１に示すように、プリント基板１１の上面には昇圧トランス１２、昇圧コントロールＩＣ１８、ローパスフィルター１９及びダイオード等の付随した各種電子部品２０が実装され、ストロボ昇圧ユニットが構成されている。
【００１２】
プリント基板１１は、本実施形態では横寸法ａが１２ｍｍ，縦寸法ｂが１５ｍｍ，厚さｃが０．８ｍｍであり、プリント基板１１の一部には矩形状の逃げ孔１６が貫通して設けられている。そして、この逃げ孔１６に前記昇圧トランス１２の一部を嵌合させた状態で昇圧トランス１２がプリント基板１１に実装固定されている。
【００１３】
昇圧トランス１２について説明すると、Ｈ型コア１３と２本のＩ型コア１４を備えている。Ｈ型コア１３は中央部に断面が矩形状の軸部１３ａを有し、この軸部１３ａの長手方向の両端部には断面が矩形状の腕部１３ｂが形成されている。軸部１３ａは横方向に幅広の矩形状で、その下面１３ｃが腕部１３ｂの下面１３ｄと面一となるように下側（プリント基板１１に対する実装面側）に偏倚している。
【００１４】
さらに、Ｈ型コア１３の軸部１３ａには一次巻線と二次巻線からなるコイル層１５が設けられている。また、Ｈ型コア１３の腕部１３ｂの両端面間にはＩ型コア１４が架け渡されている。Ｉ型コア１４は、本実施形態では高さ寸法ｄが１．２ｍｍであり、Ｈ型コア１３の腕部１３ｂと略同一断面積を有する断面が矩形状で、Ｈ型コア１３の軸部１３ａに巻装されたコイル層１５の左右両側面に接近または接触して設けられている。さらに、コイル層１５の上面１５ａはＨ型コア１３の腕部１３ｂの上面及びＩ型コア１４の上面１４ｂと同一面もしくはそれより若干低く形成されている。
【００１５】
このように構成されたＨ型コア１３の腕部１３ｂの下面１３ｄ及び２本のＩ型コア１４の下面１４ａは同一面に形成され、プリント基板１１に対する実装面１７に形成されている。そして、Ｈ型コア１３の軸部１３ａに巻装されたコイル層１５の一部は実装面１７より下方に突出している。
【００１６】
従って、昇圧トランス１２をプリント基板１１に実装する際に、昇圧トランス１２の実装面１７から下方に突出しているコイル層１５をプリント基板１１に設けられた逃げ孔１６に嵌合すると、コイル層１５の厚さに相当する分がプリント基板１１の内部に吸収された状態に収容される。このため、昇圧トランス１２の実装面１７、つまりＨ型コア１３の腕部１３ｂの下面１３ｄ及び２本のＩ型コア１４の下面１４ａはプリント基板１１の上面に密着した状態になり、接着剤等によって固定することができる。
【００１７】
このようにプリント基板１１に対して昇圧トランス１２を実装することにより、プリント基板１１の上面から突出する突出高さは、Ｉ型コア１４の高さ寸法ｄである１．２ｍｍとなる。従って、プリント基板１１の厚さｃ＋Ｉ型コア１４の高さ寸法ｄとなり、０．８＋１．２＝２．００ｍｍとなる。プリント基板１１に実装される昇圧コントロールＩＣ１８、ローパスフィルター１９及びダイオード等の付随した各種電子部品２０は、昇圧トランス１２の高さ寸法より低いため、ストロボ昇圧ユニットを２．００ｍｍ厚の薄型とすることができる。
【００１８】
また、昇圧トランス１２はコイル層１５が浮いている構造のため、昇圧トランス１２自体の耐振動性は損なわれない。さらに、昇圧トランス１２は入力平均電流３００ｍＡ、電圧３．７Ｖ、充電時間１０秒とすると、１１ジュールのエネルギーが得られ、効率を６０％と想定すると、１５０μＦのＭＣを３００Ｖまで昇圧できる。
【００１９】
なお、前記実施形態においては、Ｈ型コア１３の軸部１３ａに一次巻線と二次巻線からなるコイル層１５を形成し、Ｈ型コア１３の腕部１３ｂの両端面間にＩ型コア１４を架け渡してからプリント基板１１に実装した。しかし、Ｈ型コア１３の軸部１３ａに一次巻線と二次巻線からなるコイル層１５を形成した後、プリント基板１１に実装し、その後、Ｈ型コア１３の腕部１３ｂの両端面間にＩ型コア１４を架け渡してもよい。
【００２０】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００２１】
【図１】この発明の第１の実施形態のストロボ昇圧ユニットを示し、（ａ）は平面図、（ｂ）は矢印Ａ方向から見た側面図。
【図２】同実施形態を示し、図１のＢ−Ｂ線に沿う断面図。
【図３】同実施形態の昇圧トランスを示し、（ａ）はコイル層を断面した平面図、（ｂ）はＣ−Ｃ線に沿う断面図、（ｃ）はＤ−Ｄ線に沿う断面図。
【符号の説明】
【００２２】
１１…プリント基板、１２…昇圧トランス、１３…Ｈ型コア、１３ａ…軸部、１３ｂ…腕部、１４…Ｉ型コア、１５…コイル層、１６…逃げ孔
【図１】
2007019326.tif 000003
【図２】
2007019326.tif 000004
【図３】
2007019326.tif 000005